(57)【要約】【課題】  電磁ノイズの放射を抑制する車両用表示装置を提供できる。【解決手段】  本開示の車両用表示装置Ｍは、車両情報を表示する表示手段１０と、表示手段１０を表示制御する制御集積回路２１と、制御集積回路２１から出力された信号を伝送する配線ＳＧ１と、を有する多層回路基板２０を備える。配線ＳＧ１は、多層回路基板２０の厚み方向に貫通したスルーホールＴＨにより導通し多層回路基板２０の複数の配線層にわたって形成されている。多層回路基板２０は、スルーホールＴＨの一方の穴を覆うチップ抵抗器（電子部品）Ｒを有する、ように構成した。【選択図】  図４
2019077256.tif 000002
【特許請求の範囲】
【請求項１】
車両情報を表示する表示手段と、
前記表示手段を表示制御する制御集積回路と、
前記制御集積回路から出力された信号を伝送する配線と、
を有する多層回路基板を備え、
前記配線は、前記多層回路基板の厚み方向に貫通したスルーホールにより導通し前記多層回路基板の複数の配線層にわたって形成され、
前記多層回路基板は、前記スルーホールの一方の穴を覆う電子部品を有する、
車両用表示装置。
【請求項２】
前記制御集積回路と前記スルーホールの他方の穴を覆うシールドケースを有する、
請求項１記載の車両用表示装置。
【請求項３】
前記電子部品は、前記配線よりも表層側のグランド層あるいは電源層とのみ導通するチップ抵抗器である、
請求項１または請求項２記載の車両用表示装置。
【請求項４】
前記信号は、クロック信号である、
請求項１から３の何れか１項記載の車両用表示装置。
【発明の詳細な説明】
【技術分野】
【０００１】
本開示は、電磁ノイズの放射を抑制する車両用表示装置に関する。
【背景技術】
【０００２】
従来の電磁ノイズの放射を抑制する車両用表示装置として、特許文献１に開示されたものがある。この車両用表示装置は、液晶表示パネル等を制御する制御手段をシールドケースで覆い、制御手段から発せられる電磁ノイズの放射を抑制している。
【先行技術文献】
【特許文献】
【０００３】
【特許文献１】特開２０１０−２１０２２５
【発明の概要】
【発明が解決しようとする課題】
【０００４】
しかしながら、車両用表示装置を制御する制御回路が複雑化し複数の配線層をスルーホールを介して接続する配線が必要となると、スルーホールを介して接続された配線に高速信号が伝送された場合に、このスルーホールを介して電磁ノイズが放射されることがある。
【０００５】
本発明は、上述した課題を鑑みてなされたものであり、電磁ノイズの放射を抑制する車両用表示装置を提供することを目的とする。
【課題を解決するための手段】
【０００６】
本開示の車両用表示装置は、
車両情報を表示する表示手段と、
前記表示手段を表示制御する制御集積回路と、
前記制御集積回路から出力された信号を伝送する配線と、
を有する多層回路基板を備え、
前記配線は、前記多層回路基板の厚み方向に貫通したスルーホールにより導通し前記多層回路基板の複数の配線層にわたって形成され、
前記多層回路基板は、前記スルーホールの一方の穴を覆う電子部品を有する。
【発明の効果】
【０００７】
電磁ノイズの放射を抑制する車両用表示装置を提供できる。
【図面の簡単な説明】
【０００８】
【図１】車両用表示装置の正面図。
【図２】車両用表示装置のＡ−Ａ断面図。
【図３】車両用表示装置の電気的構成図。
【図４】回路基板の要部断面図。
【発明を実施するための形態】
【０００９】
本開示の車両用表示装置Ｍを添付図面を参照して説明する。
【００１０】
車両用表示装置Ｍは、図１に示すように、車両の走行速度やエンジン回転数、各種警告灯などの車両情報を表示する。
【００１１】
車両用表示装置Ｍは、図２、図３に示すように、表示手段１０と、回路基板２０と、シールドケース３０と、ハウジング４０と、保護パネル５０と、を有する。
【００１２】
表示手段１０は、例えば、液晶表示器である。表示手段１０は、映像信号を入力するためのコネクタＣＮ１を有する。表示手段１０は、コネクタＣＮ１から入力された映像信号に応じた画像を表示面（Ｆ側の面）に表示する。コネクタＣＮ１は、後述するコネクタＣＮ２とフレキシブルプリント基板で電気的に接続している。
【００１３】
回路基板２０は、制御集積回路２１と、メモリ集積回路２２と、映像信号を出力するためのコネクタＣＮ２と、チップ抵抗器Ｒを有する多層回路基板である。回路基板２０は、例えば、内層に２層の信号配線層が形成され、その外層に電源層ＰＷＲとグランド層ＧＮＤが形成された４層回路基板である。
【００１４】
制御集積回路２１は、例えば、グラフィックエンジンを搭載したマイクロコントローラである。制御集積回路２１は、車両の制御コントローラＥＣＵ等と車載ネットワークＬＡＮで接続されており、車両の制御コントローラＥＣＵから送信される車両情報を車載ネットワークＬＡＮを介して入力する。
【００１５】
制御集積回路２１は、メモリ集積回路２２に記憶されている画像データを読み出し、車両情報を表す画面データを生成する。制御集積回路２１は、複数のデータ信号線とシリアルクロック信号線から構成される配線ＳＧ２を介してコネクタＣＮ２から映像信号（生成した画像データ）を出力する。この配線ＳＧ２は、例えば、ＬＶＤＳ（Low Voltage Differential Signaling）バスである。
【００１６】
メモリ集積回路２２は、例えば、ＮＡＮＤ型フラッシュメモリあるいはＮＯＲ型フラッシュメモリである。メモリ集積回路２２と制御集積回路２１とは、シリアルデータ信号線とシリアルクロック信号線の２本の配線ＳＧ１から構成されるＩ２Ｃ（Inter-Integrated Circuit：アイ・スクエアド・シー）バスで互いに通信可能となっている。メモリ集積回路２２は、このＩ２Ｃバスを介して制御集積回路２１に制御される。メモリ集積回路２２は、制御集積回路２１から伝送されたデータをメモリ集積回路２２にデータを保持する機能と、保持したデータを制御集積回路２１に伝送する機能を有する。
【００１７】
シールドケース３０は、表面（Ｆ側の面）から回路基板２０の制御集積回路２１とメモリ集積回路２２とを覆う金属ケースである。シールドケース３０は、制御集積回路２１とメモリ集積回路２２から発せられる表面側からの電磁ノイズが外部に放射されることを抑制する。
【００１８】
ハウジング４０は、表示手段１０や回路基板２０、シールドケース３０を収容する不透過な樹脂製のケースである。
【００１９】
保護パネル５０は、アクリル樹脂などの透光性樹脂製のパネルであり、表示手段１０の表示面を保護する。
【００２０】
配線ＳＧ１は、図４に示すように、電源層ＰＷＲに近い第１層配線ＳＧ１ａと、グランド層ＧＮＤに近い第２層配線ＳＧ１ｂと、が回路基板２０の厚み方向に貫通したスルーホールＴＨを介して電気的に接続されている。図４（ａ）に示すように、制御集積回路２１とメモリ集積回路２２とを接続する配線ＳＧ１に各種信号が伝送されると、スルーホールＴＨから電磁ノイズＮが放射される。この電磁ノイズＮは、特に、シリアルクロック信号のようにオンオフが周期的に繰り返される信号が伝送される場合に多く放射される。
【００２１】
上述した電磁ノイズＮが外部に放射されることを抑制するために、図４（ｂ）に示すように、スルーホールＴＨの裏面側（Ｒ側）をチップ抵抗器Ｒで覆う。このチップ抵抗器Ｒは、例えば、角形の表面実装型のチップ抵抗器であり、回路基板２０の裏面（Ｒ側の面）の表層側に位置するグランド層ＧＮＤとのみ導通するように回路基板２０に設けられている。
【００２２】
上述したように、本開示の車両用表示装置Ｍは、車両情報を表示する表示手段１０と、表示手段１０を表示制御する制御集積回路２１と、制御集積回路２１から出力された信号を伝送する配線ＳＧ１と、を有する多層回路基板２０を備える。配線ＳＧ１は、多層回路基板２０の厚み方向に貫通したスルーホールＴＨにより導通し多層回路基板２０の複数の配線層にわたって形成されている。多層回路基板２０は、スルーホールＴＨの一方の穴を覆う電子部品Ｒを有する、ように構成した。
このように構成することで、電子部品Ｒがシールドケース３０と同様にスルーホールＴＨから放射される電磁ノイズＮを抑制できる。
【００２３】
また、本開示の車両用表示装置Ｍは、スルーホールＴＨのシールドケース３０に覆われていない側（Ｒ側）の穴を電子部品Ｒで覆うように構成した。
このように構成することで、回路基板２０の裏面（Ｒ側の面）側に別途シールドケースを設けるよりも安価な構成で回路基板２０の裏面から放射される電磁ノイズＮを抑制できる。
【００２４】
本発明は、上述した実施形態の他に以下の変更を加えてもよい。
【００２５】
多層回路基板２０は、４層回路基板に限らず種々の多層回路基板であってもよい。多層回路基板２０は、内層に信号配線層が形成され、その外層に電源層ＰＷＲとグランド層ＧＮＤが形成されたものが好ましいが、その逆であってもよい。
【００２６】
チップ抵抗器Ｒは、電源層ＰＷＲのみに導通するように構成してもよい。また、チップ抵抗器Ｒは、スルーホールＴＨの一方の穴を覆うものに限らず、両方の穴を覆うものとしてもよい。
【００２７】
チップ抵抗器Ｒは、制御集積回路２１とメモリ集積回路２２を接続する配線に適用したが、これに限らず種々の高速信号が伝送される配線に適用できる。例えば、制御集積回路２１から表示手段１０に映像信号を伝送するための配線ＳＧ２がスルーホールを介して多層にわたって配線される場合は、この配線ＳＧ２のスルーホールを塞ぐように適用できる。この場合、配線ＳＧ２のクロック信号が伝送される配線に適用することが好ましい。
【００２８】
チップ抵抗器Ｒに代替して、他の電子部品を用いてもよい。例えば、セラミックコンデンサ、表面実装型インダクタなどであってもよいが、好ましい電子部品としてはチップ抵抗器Ｒである。チップ抵抗器Ｒは、電磁ノイズを発する配線ＳＧ１に流れる信号の電圧値や周波数に応じて、電磁ノイズを吸収しやすい抵抗値を適宜定めることができるためである。一例として、例えば、０．００１Ωなどの略０Ωの微小抵抗値のチップ抵抗器Ｒとすることが電磁ノイズを吸収する観点から好ましい。
【符号の説明】
【００２９】
Ｍ      …車両用表示装置
１０    …表示手段
ＣＮ２…コネクタ
２０    …回路基板（多層回路基板）
２１    …制御集積回路
２２    …メモリ集積回路
ＣＮ１  …コネクタ
ＳＧ１  …配線
ＳＧ２  …配線
ＴＨ    …スルーホール
ＧＮＤ  …グランド層
ＰＷＲ  …電源層
Ｒ      …チップ抵抗器（電子部品）
３０      …シールドケース
４０      …ハウジング
５０      …保護パネル
【図１】
2019077256.tif 000003
【図２】
2019077256.tif 000004
【図３】
2019077256.tif 000005
【図４】
2019077256.tif 000006